(57)【要約】【課題】入口フィルタハウス用のフィルタエレメントを提供する。【解決手段】カートリッジフィルタインサートは、本体と、内部開口と、外面とを含む。内部開口は、空気流が本体を通過できるように構成されている。外面は、出口を有するカートリッジフィルタの表面と着脱可能に係合するように構成されている。内部開口が、出口の内側寸法を効果的に縮小するためにカートリッジフィルタの出口の内側寸法よりも小さい内側寸法を有する。カートリッジフィルタとカートリッジフィルタインサートとを含む入口フィルタハウスも提供される。カートリッジフィルタ及びカートリッジフィルタインサートを用いて流体を濾過する方法も提供される。【選択図】      図１
2014104465.tif 000002
【特許請求の範囲】
【請求項１】
カートリッジフィルタインサートであって、当該カートリッジフィルタインサートが、
内部開口が形成された本体にして空気を本体に通すことができるように内部開口が構成されている本体と、
出口を有する中空カートリッジフィルタの表面と着脱可能に係合するように構成された外面と
を備えており、前記内部開口が、前記カートリッジフィルタの出口の内側寸法よりも小さい内側寸法を有していて前記出口の内側寸法を効果的に縮小しており、前記内部開口の寸法が、管板に取り付けられる装着構造と着脱可能に係合するとともに前記管板のアパーチャの周りに前記カートリッジフィルタを中心配置するように構成されている、カートリッジフィルタインサート。
【請求項２】
前記本体が略環状形状を有する、請求項１記載のカートリッジフィルタインサート。
【請求項３】
前記外面が約３３ｃｍ（１３インチ）の外径を有する、請求項２記載のカートリッジフィルタインサート。
【請求項４】
前記内部開口が約２９．２ｃｍ（１１．５インチ）の内径を有する、請求項３記載のカートリッジフィルタインサート。
【請求項５】
前記本体がさらに、前記カートリッジフィルタインサートを前記カートリッジフィルタ内に配置するように構成された少なくとも１つのクリップを含む、請求項１記載のカートリッジフィルタインサート。
【請求項６】
前記本体が、前記外面から外側に延びる少なくとも１つのラグを含んでいて、前記カートリッジフィルタインサートの中心から前記ラグの最外縁部までの距離が、前記カートリッジフィルタ出口の半径よりも大きい、請求項１記載のカートリッジフィルタインサート。
【請求項７】
入口側及び出口側を有するハウジングと、
各々出口を有する複数の中空カートリッジフィルタと、
出口側に壁を形成する管板にして前記ハウジング内に延びる複数の中空カートリッジフィルタを支持する管板と、
カートリッジフィルタインサートと
を備える入口フィルタハウスであって、前記カートリッジフィルタインサートが、
内部開口が形成された本体にして空気を本体に通すことができるように内部開口が構成されている本体と、
前記中空カートリッジフィルタの表面と着脱可能に係合するように構成された外面と
を備えており、前記内部開口が、前記カートリッジフィルタの出口の内側寸法よりも小さい内側寸法を有していて前記出口の内側寸法を効果的に縮小しており、前記内部開口の寸法が、管板に取り付けられる装着構造と着脱可能に係合するとともに前記管板のアパーチャの周りに前記カートリッジフィルタを中心配置するように構成されている、入口フィルタハウス。
【請求項８】
前記カートリッジフィルタの本体が略環状形状を有する、請求項７記載の入口フィルタハウス。
【請求項９】
前記外面が約３３ｃｍ（１３インチ）の外径を有する、請求項８記載の入口フィルタハウス。
【請求項１０】
前記内部開口が約２９．２ｃｍ（１１．５インチ）の内径を有する、請求項９記載の入口フィルタハウス。
【請求項１１】
前記本体がさらに、前記カートリッジフィルタインサートを前記カートリッジフィルタ内に配置するように構成された少なくとも１つのクリップを含む、請求項７記載の入口フィルタハウス。
【請求項１２】
前記本体が、前記外面から外側に延びる少なくとも１つのラグを含んでいて、前記カートリッジフィルタインサートの中心から前記ラグの最外縁部までの距離が、前記カートリッジフィルタ出口の半径よりも大きい、請求項７記載の入口フィルタハウス。
【請求項１３】
流体を濾過する方法であって、当該方法が、
入口側及び出口側を有するハウジングと、各々出口を有する複数の中空カートリッジフィルタと、出口側に壁を形成する管板にして前記ハウジング内に延びる複数の中空カートリッジフィルタを支持する管板とを備える入口フィルタハウスを用意するステップと、
カートリッジフィルタと着脱可能に係合してカートリッジフィルタインサートを配置するステップと、
入口フィルタハウス内に配置されたカートリッジフィルタ及びカートリッジフィルタインサートを用いて空気流を濾過するステップ
とを含んでおり、前記カートリッジフィルタが、内部開口が形成された本体にして空気を本体に通すことができるように内部開口が構成されている本体と、中空カートリッジフィルタの表面と着脱可能に係合するように構成された外面とを含んでおり、前記内部開口が、前記カートリッジフィルタの出口の内側寸法よりも小さい内側寸法を有していて前記出口の内側寸法を効果的に縮小しており、内部開口の寸法が、管板に取り付けられる装着構造と着脱可能に係合して、管板のアパーチャの周りにカートリッジフィルタを中心配置するように構成されている、方法。
【請求項１４】
前記カートリッジフィルタの本体が略環状形状を有する、請求項１３記載の方法。
【請求項１５】
前記外面が約３３ｃｍ（１３インチ）の外径を有する、請求項１４記載の方法。
【請求項１６】
前記内部開口が約２９．２ｃｍ（１１．５インチ）の内径を有する、請求項１５記載の方法。
【請求項１７】
前記本体がさらに、前記カートリッジフィルタインサートを前記カートリッジフィルタ内に配置するように構成された少なくとも１つのクリップを含む、請求項１３記載の方法。
【請求項１８】
前記本体が、前記外面から外側に延びる少なくとも１つのラグを含んでいて、前記カートリッジフィルタインサートの中心から前記ラグの最外縁部までの距離が、前記カートリッジフィルタ出口の半径よりも大きい、請求項１３記載の方法。
【発明の詳細な説明】
【技術分野】
【０００１】
本発明は、入口フィルタハウス用のフィルタエレメントに関し、より具体的には、異なるフィルタハウジング間の異なるフィルタエレメントサイズ要件に関する。
【背景技術】
【０００２】
フィルタエレメントは、様々な装置との間で空気などの清浄な流体を提供するのに用いることができる。このような装置には、その長い耐用年数にわたって清浄な空気が重要となるガスタービンを含むことができる。カートリッジフィルタなどのフィルタエレメントは、関連するガスタービンに導入される前に空気流からの汚染物質を濾過するために入口フィルタハウス内で用いることができる。カートリッジフィルタは各々、開口端でそれぞれの直径を有する。特定の直径のカートリッジフィルタは、フィルタハウス内で所定位置に保持されるので、カートリッジフィルタの特定の直径寸法は、それぞれのフィルタハウスの設計によって決定される。
【０００３】
しかしながら、全体のシステム要件に合わせて最初に選ばれた直径以外の直径のカートリッジフィルタを設置することが望ましい場合がある。より小さな直径のカートリッジフィルタに合わせて設計された入口フィルタハウスに新しい直径のカートリッジフィルタを装着するには、シールの追加を必要とするカートリッジフィルタの修正が必要となる場合がある。さらに、このようなシールの追加に関連する物理的修正を加えるために、ガスタービンをオフライン状態に留めなければならない時間が多大なものとなる可能性がある。これに加えて、又は代替として、カートリッジフィルタが入口フィルタハウス内で管板に対して支持される場合には、より大きな直径のカートリッジフィルタを収容するために管板を交換することが必要となる可能性がある。そのため、上記その他の問題に対処するためにフィルタ技術を絶えず改善することが望まれている。
【発明の概要】
【０００４】
以下の概要は、本明細書で議論されるシステム及び方法の幾つかの態様に関する基本的な理解を与えるための簡易的概要を提供している。この概要は、本明細書で議論されるシステム及び方法の広範囲に及ぶ要約ではない。これは、このようなシステム及び方法の主要な／重要な要素を認識することを意図するものではなく、又は、このようなシステム及び方法の範囲を正確に説明することを意図するものではない。その唯一の目的は、以下に提示されるより詳細な説明の前置きとして、幾つかの概念を単純化した形で提示することである。
【０００５】
本発明の１つの態様は、本体を含むカートリッジフィルタインサートを提供する。本体には内部開口が形成され、該内部開口は、空気流が本体を通過できるように構成されている。カートリッジフィルタインサートはまた、外面を含む。外面は、出口を有する中空カートリッジフィルタの表面と着脱可能に係合するように構成される。内部開口は、出口の内側寸法を効果的に縮小するためにカートリッジフィルタの出口の内側寸法よりも小さい内側寸法を有する。内部開口の寸法は、管板に取り付けられる装着構造と着脱可能に係合して、管板のアパーチャの周りにカートリッジフィルタを中心配置するように構成されている。
【０００６】
本発明の別の態様は、入口側及び出口側を有するハウジングを含む入口フィルタハウスを提供する。入口フィルタハウスはまた、複数の中空カートリッジフィルタを含む。入口フィルタハウスはさらに、出口側に壁を形成する管板にして前記ハウジング内に延びる複数の中空カートリッジフィルタを支持する管板を含む。カートリッジフィルタの各々は出口を含む。入口フィルタハウスはさらに、カートリッジフィルタインサートを含み、該カートリッジフィルタインサートは、内部開口を形成した本体を含む。内部開口は、空気流が通過できるように構成されている。カートリッジフィルタインサートはさらに、外面を含み、該外面は、中空カートリッジフィルタの表面と着脱可能に係合するように構成されている。内部開口は、出口の内側寸法を効果的に縮小するためにカートリッジフィルタの出口の内側寸法よりも小さい内側寸法を有する。内部開口の寸法は、管板に取り付けられる装着構造と着脱可能に係合して、管板のアパーチャの周りにカートリッジフィルタを中心配置するように構成されている。
【０００７】
本発明の別の態様は、入口フィルタハウスを用意するステップを含む、流体を濾過する方法を提供する。入口フィルタハウスは、入口側及び出口側を有するハウジングを含む。入口フィルタハウスはさらに、複数の中空カートリッジフィルタを含む。入口フィルタハウスはまた、出口側上に壁を形成して、ハウジングに延びる複数の中空カートリッジフィルタを支持する管板を含む。複数の中空カートリッジフィルタの各々は、出口を含む。本方法はさらに、カートリッジフィルタと着脱可能に係合してカートリッジフィルタインサートを配置するステップを含む。カートリッジフィルタインサートは、内部開口を有する本体を含む。内部開口は、空気流が本体を通過できるように構成される。カートリッジフィルタインサートはさらに外面を含む。外面は、中空カートリッジフィルタの表面と着脱可能に係合するように構成される。内部開口は、出口の内側寸法を効果的に縮小するためにカートリッジフィルタの出口の内側寸法よりも小さい内側寸法を有する。内部開口の寸法は、管板に取り付けられる装着構造と着脱可能に係合して、管板のアパーチャの周りにカートリッジフィルタを中心配置するように構成される。本方法はさらに、入口フィルタハウス内に配置されたカートリッジフィルタ及びカートリッジフィルタインサートを用いて空気流を濾過するステップを含む。
【０００８】
本発明の前述及び他の態様は、添付図を参照して以下の説明を読むと、本発明に関連する当業者には明らかになるであろう。
【図面の簡単な説明】
【０００９】
【図１】管板上に設置されたカートリッジフィルタを見るためにハウジングを貫通する破断部を設けた例示的な入口フィルタハウスの概略図。
【図２】図１の入口フィルタハウス内の例示的なカートリッジフィルタの斜視図。
【図３】図２の線３−３に沿った図に関連し且つ本発明の１つの態様によるカートリッジフィルタの一部及びカートリッジフィルタインサートの一部の例示的な詳細事項を示す部分断面図。
【図４】図３からのカートリッジフィルタインサート全体の平面図。
【図５】図４内の符号５で示された区域内のカートリッジフィルタインサートの一部の詳細図であり、カートリッジフィルタインサートのクリップの例示的な詳細図。
【図６】図４内の符号６で示された区域内のカートリッジフィルタインサートの一部の詳細図であり、図４のカートリッジフィルタインサートからのラグの例示的な詳細図。
【図７】流体を濾過する例示的な方法の最上位フロー図。
【発明を実施するための形態】
【００１０】
本発明の１以上の態様を組込んだ実施例としての実施形態について、説明し且つ図面に示している。これらの図示した実施例は、本発明を限定しようとするものではない。例えば、本発明の１以上の態様は、他の実施形態において利用することができ、さらに、他のタイプの装置においても利用することができる。さらに、特定の用語は、本明細書において便宜的に用いられているに過ぎず、本発明を限定するものとして解釈されるべきではない。さらにまた、図面において、同じ符号は同じ要素を指示するのに使用される。
【００１１】
本発明の態様による入口フィルタハウス１０の１つの実施例が、図１に概略的に示されている。本明細書で提示される実施例は、例示の目的に過ぎず、本発明の範囲に関する特定の限定を示すものではないことを理解されたい。１つの実施例において、入口フィルタハウス１０は、発電用途においてガスタービンに流入する流体（例えば、空気ストリーム）から不純物を除去するのに使用される。
【００１２】
典型的な入口フィルタハウス１０は、複数の入口フード１４を備えた入口側を有するハウジング１２を含む。ハウジング１２は、出口側を有し、該出口側は、そこで壁を形成する管板１６を含む。管板（tube sheet）１６は、ハウジング１２内に延びる複数の（例えば、数百個の）カートリッジ型中空フィルタエレメントを片持ち方式で支持する。各フィルタエレメント１８（図２）は、理解されるように、管板１６を通る通路アパーチャ４８と関連付けられる。
【００１３】
カートリッジ型中空フィルタエレメントでは、これらのエレメントは、簡単にカートリッジフィルタ１８と呼ばれる。各カートリッジフィルタ１８（図２で最もよく見える）は、様々な形状（例えば、円筒形）を有するように形成することができる。図示の実施例は、ほぼ円筒セクション２０と円錐セクション２２の２つの部分形状を有する。上述のように、カートリッジフィルタ１８は、円筒セクションのみ、円錐セクションのみ、その他を含む、他の形状で形成されてもよいことは理解されたい。通常作動中、ガスタービンへの吸入空気は、入口フード１４を介して入口フィルタハウス１０（図１）に流入し、矢印Ａで示す流れ方向で複数のカートリッジフィルタ１８を通過する。
【００１４】
図２に戻ると、管板１６に設置された例示的なカートリッジフィルタ１８が図示されている。円筒セクション２０及び円錐セクション２２の外面２４は、カートリッジフィルタ１８の空気流入口としての役割を果たし、他方、円錐セクション２２の拡大開口端は、管板１６を貫通するそれぞれのアパーチャに当接し、カートリッジフィルタ出口２６としての役割を果たしている。カートリッジフィルタ１８を管板１６に接して固定するために、あらゆる好適な手段を用いることができる。１つの実施例において、レッグ３４を含む内部トリポード構造３２を利用して、カートリッジフィルタ１８を支持し且つ強化することができる。ガスケット付きのネジロッド３６を内部トリポード構造３２の上流側終端上に配置することができる。ウィングナット、ロックナット、その他などの嵌合金具（図示せず）をネジロッド３６に装着し、カートリッジフィルタ１８を管板１６に対して所望の位置で保持するのを助けることができる。ネジロッド３６と嵌合金具との相互作用はまた、管板１６にほぼ垂直な方向でカートリッジフィルタ１８に対して力を加えるのに用いることもできる。この力を用いて、カートリッジフィルタ１８と管板１６との間でシール４０（図３で最もよく見える）を少なくとも部分的に加圧することができる。シール４０により、空気流の汚れ側（上流側）と清浄側（下流側）との間に障壁を形成するのを助けると共に、流体（例えば、空気）がカートリッジフィルタ１８をバイパスするのを防ぐことを可能にする。
【００１５】
内部トリポード構造３２は、ネジロッド３６と反対側の端部にて何らかの好適な手段を用いて管板１６に取り付けることができる。内部トリポード構造３２の各レッグ３４は、管板１６におけるアパーチャ４８の縁部に比較的近接した位置にて管板１６に取り付けることができる。１つの実施例において、レッグ３４は、カートリッジフィルタ１８の内側表面５０と係合することによって、アパーチャ４８を覆ってカートリッジフィルタ１８を中心配置することを可能にする。１つの実施例において、カートリッジフィルタ１８の表面５０は、カートリッジフィルタ出口２６におけるカートリッジフィルタ１８の内径に対応する表面である。
【００１６】
図３に移ると、部分断面詳細部分は、例示的なカートリッジフィルタ１８の構成要素の一部を示している。端部キャップ５２は、内部スリーブ５４及び外部スリーブ５６の端部を覆うことができる。１つの実施例において、内部スリーブ５４及び外部スリーブ５６は、エキスパンドメタルから構成することができるが、吸入空気流が透過可能な他の材料もまた、内部スリーブ５４及び外部スリーブ５６に好適とすることができる点は理解されたい。内部スリーブ５４及び外部スリーブ５６間の環状スペース内では、空気流（矢印Ａで示される）がカートリッジフィルタ１８を通って流れるときに、濾材５８が空気流から望ましくない汚染物質を濾過する。１つの実施例において、濾材５８は、当該技術分野で公知のプリーツパックとすることができるが、他の材料／構成もまた濾材５８に好適とすることができる。上述のように、シール４０は、端部キャップ５２に装着され、管板１６に対してカートリッジフィルタ１８をシールし、空気流の汚れ側（上流側）と清浄側（下流側）との間に障壁を形成するのを助けることができる。
【００１７】
種々の入口フィルタハウス設計は、様々な標準のカートリッジフィルタ設計を用いることができる。例えば、標準のカートリッジフィルタサイズは、３３ｃｍ（１３インチ）及び２９ｃｍ（１１．５インチ）の直径のカートリッジフィルタ出口を含むことができる。２９ｃｍ（１１．５インチ）のカートリッジフィルタの代わりに、３３ｃｍ（１３インチ）のカートリッジフィルタが使用される場合には、内部トリポード構造上のレッグの配置は、３つのレッグ全ての上でカートリッジフィルタの表面に係合する程十分に広く位置付けられる訳ではない。このような係合の欠如は、カートリッジフィルタ１８の中心配置を確保することができない結果となる場合がある。その結果、シールが効果的に作用しない場合があり、カートリッジフィルタが所望の位置から落下して、カートリッジフィルタをバイパスする未濾過の空気ストリームを生じることがあり、カートリッジフィルタの設置が難しくなるおそれがある。
【００１８】
場合によっては、入口フィルタハウス１０で使用するように設計されたカートリッジフィルタ出口の直径よりも大きな直径のカートリッジフィルタ出口２６を有する標準のカートリッジフィルタ１８を利用することが望ましい場合がある。ここで図４に移り、カートリッジフィルタインサート６２に焦点を当てる。カートリッジフィルタインサート６２は、内部開口６８を有する本体６６を含む。この内部開口６８は、空気流がカートリッジフィルタ１８を通過したとき／その後で、空気流がカートリッジフィルタインサート６２の本体６２を通過できるようにする。空気流は、カートリッジフィルタインサート６２の本体６２を通過した後、管板１６（図４で最もよく見える）のアパーチャを通って下流側構成要素（例えば、ガスタービンの圧縮器段）に流れる。１つの実施例において、カートリッジフィルタインサート６２は、ほぼ環状の形状を有するが、他の構成もまた企図される。
【００１９】
外面７２は、カートリッジフィルタインサート６２の外側周囲を定める。１つの実施例において、外面７２は、単に本体６６の外側縁部とすることができる。図３、図５〜６に示すように、外面７２は、本体６６から離れて延びるように形成された本体６６の一部によって形成することができる。別の実施例において、外面７２は、本体６６に取り付けられる別個の構成要素とすることができる。図３に戻ると、部分断面の詳細部分は、カートリッジフィルタ１８の表面５０を着脱可能に係合する外面７２を示している。１つの実施例において、カートリッジフィルタインサート６２の外面７２は、カートリッジフィルタ１８の表面５０に直接接触し、２つの表面７２、５０間の圧入又は機械的摩擦がカートリッジフィルタインサート６２を所定位置に保持することを可能にする。図３に示すように、カートリッジフィルタインサート６２の外面７２は、カートリッジフィルタ１８の表面５０から短い距離のままとすることができる。表面５０は、カートリッジフィルタ出口２６を少なくとも部分的に定める。カートリッジフィルタインサート６２は全体的に空気流の清浄側４６内にあるので、カートリッジフィルタ１８を適正に作動させるために、緊密な公差が要求される追加のシール又は嵌合を必要としない点は理解されたい。
【００２０】
図５に移ると、カートリッジフィルタインサート６２はまた、カートリッジフィルタインサート６２をカートリッジフィルタ１８内に配置するのを助ける少なくとも１つのクリップ８０を含むことができる。図示の実施例において、クリップ８０は、外面７２において２つのスロット間に形成することができ、該クリップ８０の遠位端８２が、外面７２から半径方向外向きに延びるように形成されている。クリップの他の構成もまた企図される。図３に示すように、クリップ８０の遠位端８２は、カートリッジフィルタ１８の端部キャップ５２の上流側縁部９０の後方に所定位置にロックすることができる。クリップ８０の構造は、カートリッジフィルタインサート６２がカートリッジフィルタ１８と係合されたときに半径方向内向きに僅かに撓み、遠位端８２がカートリッジフィルタ出口２６を通過するように十分な可撓性を有する点は理解されたい。図４に示すように、複数のクリップ８０が、カートリッジフィルタインサート６２の外周の周りに等間隔に配置することができ、互いから約１２０°離間して３つに番号が付与されている。クリップ８０の他の数量及び配列も企図される。
【００２１】
図６に移り、カートリッジフィルタインサート６２はまた、少なくとも１つのラグ９０を含むことができる。ラグ９０は、カートリッジフィルタインサート６２の外面７２から離れて半径方向に延びることができる。図３で最もよく見えるように、ラグ９０のカートリッジフィルタインサート６２の中心から最外縁部９４までの距離９２は、カートリッジフィルタ出口内側寸法９６よりも長い。このより長い距離９２により、カートリッジフィルタインサート６２とカートリッジフィルタ１８との間の機械的干渉が生じ、カートリッジフィルタインサート６２のカートリッジフィルタ１８内への挿入距離が制限される。図４に示すように、複数のラグ９８０が。カートリッジフィルタインサート６２の外周の周りに等間隔に配置することができ、互いから約１２０°離間して３つに番号が付与されている。ラグ９０の他の数量及び配列も企図される。加えて、ラグ９０及びクリップ８０は、互いに等間隔に配置することができ、カートリッジフィルタインサート６２の外周の周りに交互するパターンで互いにから約６０°で配置される。
【００２２】
クリップ８０とラグ９０の組合せ並びに端部キャップ５２とのこれらの相互作用により、オペレータがカートリッジフィルタインサート６２をカートリッジフィルタ１８と適正に係合し、カートリッジフィルタ１８の移送、設置、及び作動中にカートリッジフィルタインサート６２を所望の位置に固定することができる。加えて、クリップ８０及びラグ９０により、カートリッジフィルタインサート６２をカートリッジフィルタ１８に固定するための溶接又は別個の機械的ファスナを使用するような更なる固定ステップの必要性が排除又は低減される。他の実施例において、接着剤の塗布を含む、カートリッジフィルタインサート６２をカートリッジフィルタ１８内に固定する他の方法を用いてもよい。追加の固定方法もまた企図される。
【００２３】
図５及び６に示すように、カートリッジフィルタインサート６２の内部開口６８は、表面９８を含むことができる。この表面は、カートリッジフィルタインサート６２の中心から特定の半径距離で配置することができる。１つの実施例において、カートリッジフィルタインサート６２は、３３ｃｍ（１３インチ）カートリッジフィルタ１８を係合するように構成された外面７２を有し、２９ｃｍ（１１．５インチ）カートリッジフィルタ１８の寸法を再現するように構成された表面９８を有することができる。所定位置にあるカートリッジフィルタインサート６２では、新しい見掛け上のカートリッジフィルタ出口は、標準の２９ｃｍ（１１．５インチ）カートリッジフィルタの出口と類似し、表面９８は、管板１６に取り付けられた内部トリポード構造３２を着脱可能に係合し、カートリッジフィルタ１８を管板１６（図２で最もよく見える）におけるアパーチャ４８の周りで中心配置するように構成される。
【００２４】
図３において分かるように、内部開口内側寸法１００は、カートリッジフィルタ出口内側寸法９６よりも小さい。両方の寸法９６、１００は、円の直径の簡略寸法及びその一部として図３に示されている。しかしながら、円形以外のカートリッジフィルタ出口２６及び内部開口６８の幾何形状も企図される点は理解されたい。内部開口内側寸法１００は、カートリッジフィルタ出口内側寸法９６よりも小さいので、カートリッジフィルタインサート６２の挿入により、カートリッジフィルタ出口がフィルタ出口内側寸法９６から内部開口内側寸法１００に効果的に縮小される。１つの特定の実施例において、内部開口内側寸法１００は、約２９．２ｃｍ（１１．５インチ）であり、カートリッジフィルタ出口内側寸法９６は、約３３ｃｍ（１３インチ）である。
【００２５】
内部開口内側寸法１００は、管板１６に取り付けられる装着構造の一例である内部トリポード構造３２と着脱可能に係合する。結果として、カートリッジフィルタインサート６２の係合により、比較的大きなサイズのカートリッジフィルタ（例えば、約３３ｃｍ（１３インチ）のカートリッジフィルタ出口内側寸法９６を有するもの）が、比較的小さなサイズのカートリッジフィルタ（例えば、約２９．２ｃｍ（１１．５インチ）のカートリッジフィルタ出口内側寸法９６を有するもの）を利用するよう設計された入口フィルタハウス１０の内部トリポード構造３２に適正に嵌合できる。このようにして、カートリッジフィルタインサート６２は、比較的大きなサイズのカートリッジフィルタと比較的小さなサイズのカートリッジフィルタとの間の差違を寸法的に補正する。
【００２６】
図２に示す特定の実施例と同様に、内部トリポード構造３２の３つのレッグ３４は、管板１６におけるアパーチャ４８の周りにカートリッジフィルタ１８を中心配置する役割を果たす。適正に中心配置されたカートリッジフィルタ１８は、管板１６との効果的なシールを有する可能性がより高くなる。カートリッジフィルタ１８の設置はまた、適正に中心配置されると簡単になる可能性が高く、カートリッジフィルタ１８はまた、所望の位置から外れる蓋然性が低くなる。所望の位置から外れたカートリッジフィルタ１８は、カートリッジフィルタ１８をバイパスする空気流を生じて、不都合な汚染物質が下流側の構成要素に到達してしまうおそれがある。
【００２７】
流体を濾過する例示的な方法が、図７に全体的に記載されている。本方法は、図１に示す例示的な入口フィルタハウス１０及び図３に示す例示的なカートリッジフィルタインサートと関連して実施することができる。本方法は、入口フィルタハウスを用意するステップ１２０を含む。上述のように、入口フィルタハウス１０は、複数の入口フード１４を備えた入口側を有するハウジング１２を含むことができる。ハウジング１２は、出口側を有し、該出口側は、そこで壁を形成する管板１６を含む。管板１６は、ハウジング１２内に延びる複数の（通常は数百個の）カートリッジ型中空フィルタエレメントを片持ち方式で支持する。複数の中空カートリッジフィルタの各々は、入口と出口とを有する。
【００２８】
本方法はさらに、カートリッジフィルタ１８と着脱可能に係合してカートリッジフィルタインサート６２を配置するステップ１３０を含む。カートリッジフィルタインサート６２の外面７２は、カートリッジフィルタ１８の表面５０よりも短い距離のままとすることができる。カートリッジフィルタインサート６２は全体的に空気流の清浄側４６内にあるので、カートリッジフィルタ１８を適正に作動させるために、緊密な公差が要求される追加のシール又は嵌合を必要としない点は理解されたい。内部開口内側寸法１００はカートリッジフィルタ出口内側寸法９６よりも小さいので、カートリッジフィルタインサート６２の挿入により、フィルタ出口内側寸法９６が効果的に縮小される。カートリッジフィルタインサート６２は、比較的大きなサイズのカートリッジフィルタと比較的小さなサイズのカートリッジフィルタとの間の差違を寸法的に補正する。
【００２９】
本方法はさらに、入口フィルタハウス１０内に配置されたカートリッジフィルタ１８及びカートリッジフィルタインサート６２を用いて空気流を濾過するステップ１４０を含む。空気流は、ハウジング１２を通過し、カートリッジフィルタ１８の外面２４を通って、ここで粒状物質が空気流から除去される。空気流は、カートリッジフィルタインサート６２、カートリッジフィルタ出口２６、及び管板１６内のアパーチャ４８を通過することにより進む。カートリッジフィルタインサート６２と嵌合した比較的大きなカートリッジフィルタ１８の濾過プロセスと、比較的小さなカートリッジフィルタの濾過プロセスとの間に識別できる差違はほとんど又は全く存在しない点は理解されたい。
【００３０】
記載した実施例において、本方法及び装置は、入口フィルタハウス１０のオペレータが比較的小さなカートリッジフィルタの代わりに、比較的大きなカートリッジフィルタを利用できるようにする比較的安価な手段を提供する。記載された方法及び装置は、当該特定のカートリッジフィルタ及びより小さな直径のカートリッジフィルタを使用するよう設計された複数の入口フィルタハウスで使用することができる１つの標準的カートリッジフィルタを提供する。これにより、設計コストの低減、複数の部品の貯蔵コストの低減、及び常に変動する複数の部品点数の排除がもたらされる。現行の標準的なカートリッジフィルタは貯蔵することができ、より小さな直径のカートリッジフィルタを要求する後続の発注では、カートリッジフィルタインサートを出荷及び設置する前に所定位置に留めておくことができる。また、記載した実施例により、管板がより小さな直径のカートリッジフィルタを使用するよう設計されていた場合に、標準のカートリッジフィルタを受け入れるために管板を再加工する必要がある高コストの時間的中断の必要性も排除される。
【００３１】
本発明を好ましい実施形態を参照しながら説明してきた。本明細書を読んで理解すれば、当業者は、修正例及び変更例を想起するであろう。本発明の１以上の態様を組み入れた例示的な実施形態は、特許請求の範囲内に入る限り、すべてのそのような修正例及び変更例を含むことが意図される。
【符号の説明】
【００３２】
１０  入口フィルタハウス
１２  ハウジング
１４  入口フード
１６  管板
１８  フィルタエレメント
２０  円筒セクション
２２  円錐セクション
【図１】
2014104465.tif 000003
【図２】
2014104465.tif 000004
【図３】
2014104465.tif 000005
【図４】
2014104465.tif 000006
【図５】
2014104465.tif 000007
【図６】
2014104465.tif 000008
【図７】
2014104465.tif 000009